(57)【特許請求の範囲】
【請求項１】
眼内レンズを非折り曲げ状態で保持する保持部が設けられた基台を有し、前記保持部に折り曲げ可能な眼内レンズを収納して保持する眼内レンズケースにおいて、前記基台に対して相対的に移動可能に設けられ前記保持部によって保持された眼内レンズを外力から保護するための保護カバーであって，前記眼内レンズをカバー内部に収め外力から保護する保護位置と眼内レンズをカバー外部に表すことにより取り出し可能にする非保護位置との間で移動する保護カバーと、該保護カバーの保護位置から非保護位置への移動に連動して前記保持部によって保持された眼内レンズを押圧して折り曲げる折り曲げ手段と、を備えることを特徴とする眼内レンズケース。
【請求項２】
請求項１の眼内レンズケースにおいて、前記折り曲げ手段は前記保持部によって保持された眼内レンズの周縁部を２方向から挟持する一対の挟持部を有し、前記保護カバーは相対的な移動に連動して前記挟持部の挟持幅を変化させるためのガイド部を有し、該ガイド部の移動によって前記挟持部の挟持幅を変化させることにより眼内レンズを折り曲げることを特徴とする眼内レンズケース。
【請求項３】
請求項１の折り曲げ手段は、前記保持部によって保持された眼内レンズの周縁部に２方向から当接して挟み込む第１当接部材及び第２当接部材を有し、前記保護カバーの相対的な移動に連動して前記第１当接部材又は第２当接部材の少なくとも一方を挟み込み方向に移動することにより眼内レンズを折り曲げることを特徴とする眼内レンズケース。
【請求項４】
請求項１の眼内レンズケースにおいて、さらに前記保護カバーが移動する非保護位置には、前記折り曲げ手段により眼内レンズが折り曲げ動作が行われる位置と折り曲げ動作が行われない位置とが設けられていることを特徴とする眼内レンズケース。
【発明の詳細な説明】
【０００１】
【発明の属する技術分野】
本発明は、眼内レンズを収納、保持する眼内レンズケースに関する。
【０００２】
【従来技術】
近年、白内障の手術おいて眼球内に眼内レンズを挿入する際に、眼球上に小さな切開創を設けるだけで眼内レンズが挿入できるように、軟性のアクリル製基材を使用した折り曲げ可能な眼内レンズを使用する方法が用いられている。これは挿入前に眼内レンズを鑷子等にて折り曲げておくことで挿入時の大きさを小さくしておき、眼内へ挿入後に折り曲げたレンズを開かせる（開放する）というものである。
【０００３】
このような軟性の眼内レンズに対してさらに取り扱いが簡単にできる方法が開示されている。例えば、特開平３−２１５２５８では眼内レンズを収納、保持したケースを折り曲げることによって、予め折り曲げられた眼内レンズを鑷子で取りだすことができる。また、眼内レンズを鑷子にて折りたたみ易いようにケース内に収納、保持する機構が米国特許５２８１２２７号に開示されている。
【０００４】
【発明が解決しようとする課題】
しかしながら、上記のような方法は眼内レンズを保護するためのカバーを外した後、あらためて眼内レンズを折り曲げ、取出すようにしており、術者にとっては手間である。
【０００５】
上記の従来技術の欠点に鑑み、手間がかからず簡単に眼内レンズを折り曲げ状態で取り出すことのできる眼内レンズケースを提供することを技術課題とする。
【０００６】
【課題を解決するための手段】
上記課題を解決するために、本発明は以下のような構成を備えることを特徴とする。
【０００７】
（１）  眼内レンズを非折り曲げ状態で保持する保持部が設けられた基台を有し、前記保持部に折り曲げ可能な眼内レンズを収納して保持する眼内レンズケースにおいて、前記基台に対して相対的に移動可能に設けられ前記保持部によって保持された眼内レンズを外力から保護するための保護カバーであって，前記眼内レンズをカバー内部に収め外力から保護する保護位置と眼内レンズをカバー外部に表すことにより取り出し可能にする非保護位置との間で移動する保護カバーと、該保護カバーの保護位置から非保護位置への移動に連動して前記保持部によって保持された眼内レンズを押圧して折り曲げる折り曲げ手段と、を備えることを特徴とする。
【０００８】
（２）  （１）の眼内レンズケースにおいて、前記折り曲げ手段は前記保持部によって保持された眼内レンズの周縁部を２方向から挟持する一対の挟持部を有し、前記保護カバーは相対的な移動に連動して前記挟持部の挟持幅を変化させるためのガイド部を有し、該ガイド部の移動によって前記挟持部の挟持幅を変化させることにより眼内レンズを折り曲げることを特徴とする。
【０００９】
（３）  （１）の折り曲げ手段は、前記保持部によって保持された眼内レンズの周縁部に２方向から当接して挟み込む第１当接部材及び第２当接部材を有し、前記保護カバーの相対的な移動に連動して前記第１当接部材又は第２当接部材の少なくとも一方を挟み込み方向に移動することにより眼内レンズを折り曲げることを特徴とする。
【００１０】
（４）  （１）の眼内レンズケースにおいて、さらに前記保護カバーが移動する非保護位置には、前記折り曲げ手段により眼内レンズが折り曲げ動作が行われる位置と折り曲げ動作が行われない位置とが設けられていることを特徴とする。
【００１１】
【発明の実施の形態】
以下、本発明の実施の形態を図面に基づいて説明する。
【００１２】
＜実施の形態１＞
図１は折り曲げ可能な軟性眼内レンズを保持、収納する実施の形態１に係る眼内レンズケースの外観略図である。
【００１３】
１は眼内レンズケースであり、ポリプロピレン等の一般的な樹脂を用いて製作されている。眼内レンズケースは大きく分けて眼内レンズ３０を載置する基台部２と、基台部２に載せられた眼内レンズ３０を外力から保護するカバー２０から構成される。図１ではカバー２０を基台部２から外した状態で示している。
【００１４】
基台部２は長方形の板状を有しており、その長手方向両側にはカバー２０に形成される凹部２１ａ、２１ｂと嵌合するための凸部３ａ、３ｂが形成されている。凹部２１ａ、２１ｂを凸部３ａ、３ｂに嵌合させることによって、カバー２０を基台部２の長手方向にスライドできるようになっている。
【００１５】
１０は基台部２上に取り付けられ、非折り曲げ状態の眼内レンズ３０を基台部３上に保持するための保持部である。図２は基台部２を上方から見た時の図（眼内レンズ３０は載置せず）である。保持部１０は眼内レンズ３０を両側から挟持し、折り曲げるための挟持部１１ａ、１１ｂを持つ。
【００１６】
挟持部１１ａ、１１ｂは弾力性のある板状の形状を有し、挟持部１１ａ、１１ｂがなす幅は図示のようにある程度一定の幅（幅Ａ）を保った後、図の下方に行くに従って外側に反る形状となっている。また、挟持部１１ａ、１１ｂは基台部２の上面から若干浮いた状態にて固定されており、端部が開閉しやすいようになっている。挟持部１１ａ、１１ｂの内壁には、眼内レンズ３０を載置するための載置台１２ａ、１２ｂが取り付けられている。
【００１７】
載置台１２ａ、１２ｂの上面は挟持部１１ａ、１１ｂの上面に対して若干下方に位置し、眼内レンズ３０を載置した状態で挟持部１１ａ、１１ｂ間の幅が狭くなると、眼内レンズ３０の周縁部が挟持部１１ａ、１１ｂの内壁に当接して両側から押圧されるようになっている。また、折り曲げられた眼内レンズ３０の一部（上部）が挟持部１１ａ、１１ｂの上面から十分出るように、挟持部１１ａ、１１ｂ上面に対する載置台１２ａ、１２ｂ上面の位置が決められている。
【００１８】
また、載置台１２ａ、１２ｂの端部４ヶ所には紙面垂直方向に伸びるピン１３が取り付けられている。ピン１３は眼内レンズ３０を載置台１２ａ、１２ｂ上に載置したときに眼内レンズ３０が不用意に動かないように保持する役目を持つ。
【００１９】
カバー２０は内部が空洞の箱形状となっており、保持部１０全体をカバー２０内に収めることができる。図３は保持部１０全体をカバー２０内に収めた状態を側方から見た時の断面図である。カバー２０の上部は眼内レンズ３０に接しない程度に低くされており、搬送等において眼内レンズ３０が上から飛び出て載置台１２ａ、１２ｂから外れることを防ぐ役目をしている。
【００２０】
２２はカバー２０を基台部２に取り付けた後、カバー２０をスライドする際に保持部１０を通すための開口部であり、その開口幅は幅Ａよりも僅かに広くなっている。２３は凸部であり、保持部１０全体をカバー２０内に収めたときに基台部２上の凹部４と嵌合し、カバー２０が不用意にスライドしない様になっている。
【００２１】
以上のような、構成を持つ眼内レンズケースにおいて、その動作について図４を用いて説明する。
【００２２】
図４は基台部２にカバー２０が取り付けられた状態を上から見た時の該略図である。実際に見えない部分は破線にて示す。図４（ａ）は、保持部１０全体をカバー２０内に収めた状態のときである。この状態では、保持部１０全体がカバー２０内に収められており、眼内レンズ３０が載置台１２ａ、１２ｂから外れ難く、外部からの押圧力が眼内レンズに加わらないように保護すると共に、埃等が付着し難い状態となっている。
【００２３】
眼内レンズ３０を眼内レンズケース１から取り出すには、図４（ａ）の状態からカバー２０を矢印Ｂ方向へ移動（スライド）させていく。カバー２０をＢ方向へ移動させることにより、保持部１０が開口部２２を通り、載置台１２ａ、１２ｂ上に眼内レンズ３０を載せた状態で表れてくる。
【００２４】
挟持部１１ａと１１ｂとの幅は、ある程度までは開口部２２の幅よりも若干狭い幅（幅Ａ）であるため、開口部２２によってその幅を制限されることなく通過する。また、本実勢形態の眼内レンズケース１は、挟持部１１ａ、１１ｂ間の幅が幅Ａよりも広くなる前にカバー２０から表れるように設計されている。このため、図４（ｂ）に示したカバー２０の移動位置では、眼内レンズ３０がカバー２０から表れても挟持部１１ａ、１１ｂの内壁間はその幅を狭めることがない状態であり、眼内レンズ３０に対する折り曲げ動作は行われない。
【００２５】
さらに、カバー２０をＢ方向へ移動させていくと、挟持部１１ａ、１１ｂの幅は開口部２２によってガイド（制限）され、挟持部１１ａ、１１ｂの内壁間はカバー２０の移動量によって次第に狭くなり、眼内レンズ３０の周縁を内壁で押圧するようになる。その結果、図４（ｃ）に示すように、眼内レンズ３０は挟持部１１ａ、１１ｂによって折り曲げられることとなる。
【００２６】
また、図４（ｄ）は図４（ｃ）のように眼内レンズ３０が折り曲げられた状態を、短手方向から見た時の該略図である。図示のように開口部２２によって制限される挟持部１１ａ、１１ｂの内壁間は、眼内レンズ３０を完全に折り曲げた状態にするのではなく、折り曲げ状態に多少余裕のある状態に保つようになっている。このため、眼内レンズ３０を取り出す時は、鑷子にて完全に折り曲げるように挟み、挟持部１１ａ、１１ｂの内壁から眼内レンズ３０を離すことにより、簡単に取り出すことができる。
【００２７】
術者はこのようにカバー２０をスライドさせるだけで、折り曲げられた眼内レンズ３０を鑷子で簡単に取り出すことができる。また、折り曲げずに眼内レンズ３０を取り出したい時には、カバー２０を図４（ｂ）のような位置にしておくことにより、眼内レンズ３０をそのままの状態で取り出すこともできる。
【００２８】
＜実施の形態２＞
実施の形態１の変容例を実施の形態２として図５、６に示し説明する。実施の形態１と機能が同じ構成要素には同一記号を付す。
【００２９】
図５（ａ）は眼内レンズケース１に眼内レンズ３０を収納した状態を上面から見た透過図、図５（ｂ）は図５（ａ）を短手側面から見た概略断面図である。
【００３０】
基台部２上には実施の形態１と同様に挟持部、載置台の機能を備えた保持部１０が取り付けられている。また、基台部２上には逆Ｕ字型を有したガイド部材４０がカバー２０と一体に取り付けられており、基台部２上を矢印方向へスライドできるようになっている。
【００３１】
ガイド部材４０は保持部１０を両脇から挟持するように基台部２上に取り付けられているため、カバー２０を矢印方向へ移動させることにより、保持部１０はガイド部材４０が形成するガイド幅４１の幅にしたがって、眼内レンズ３０を両脇から押圧し、折り曲げ動作を行う。
【００３２】
図６（ａ）に示すように、カバー２０を移動させることにより保持部１０をガイド部材４０の末端（ガイド幅４１が最も狭くなる位置）まで位置させると、図６（ｂ）のように保持部１０は眼内レンズ３０を完全に折り曲げる。もちろん、ガイド幅４１が狭くなる前にカバー２０の移動を止めれば、眼内レンズ３０が折りたたまれていない状態にて取り出すことが可能である。
【００３３】
＜実施の形態３＞
実施の形態１の変容例を実施の形態３として図７、８に示し説明する。実施の形態１と機能が同じ構成要素には同一記号を付す。
【００３４】
図７（ａ）は眼内レンズケース１に眼内レンズ３０を収納した状態を長手側面から見た概略断面図、図７（ｂ）は上面から見た透過図、図７（ｃ）は短手側面から見た概略断面図である。
【００３５】
実施の形態１、２では箱型の眼内レンズケースを使用したが、実施の形態３では同じ機能を有した略円筒形の眼内レンズケースを使用する。基台部２は握り易いように略円筒形状を有している。基台部２の一部には図７（ｃ）に示すように切れ込み５０が設けられ、切れ込み５０の末端部（円筒側面）に、実施の形態１と同様の挟持部、載置台の機能を備えた保持部１０が設けられている。
【００３６】
カバー２０は開口部５２をもつ外筒であり、内筒として保持部１０を含めた基台部２の一部が回転可能に入れられている。カバー２０の内壁には保持部１０を両側から押圧するためのガイド部５１が設けられている。カバー１０を矢印方向へ回転させることにより、凸部５３がガイド部材５１よって押圧され、保持部１０が折り曲げ動作を行う。
【００３７】
図８（ａ）のように、カバー２０を回転させて眼内レンズ３０が見える位置まで開口部５２を移動させると、図８（ｂ）のように保持部１０は眼内レンズ３０を完全に折り曲げる。
【００３８】
＜実施の形態４＞
実施の形態１〜３では、保持部を両側から押圧することによって、眼内レンズ３０が折り曲がる動作を説明したが、実施の形態４では保持部を片側から押圧することによって眼内レンズ３０を折り曲げる例を示す。
【００３９】
図９は実施の形態４で使用する眼内レンズケースを上から見たときの透過図である。実施の形態１と機能が同じ構成要素部分には同一記号を付す。
【００４０】
基台部２上には眼内レンズ３０を載置、保持する保持部６０が取り付けられている。保持部６０にはピン１３の他に、折り曲げ時に使用される固定板６０ａが眼内レンズ３０の周縁部に当接するように設けられている。また、凸部６１ａを有した押圧部材６１がカバー２０と一体に取り付けられており、基台部２上を矢印方向へスライドできるようになっている。
【００４１】
カバー２０を矢印方向へ移動させることにより、押圧部材６１も矢印方向へ移動する。さらにカバー２０を移動させ、カバー２０によって眼内レンズ３０が保護されない形になると、図９（ｂ）のように眼内レンズ３０は凸部６１ａに当接して移動方向に押圧されるようになる。固定板６０ａは保持部６０に固定されているため、その結果眼内レンズ３０は折り曲げられることとなる。また、凸部６０ａにて眼内レンズ３０を押圧する前にカバー２０の移動を止めれば、眼内レンズ３０が折りたたまれていない状態にて取り出すことが可能である。
【００４２】
＜実施の形態５＞
実施の形態４の変容例を実施の形態５として図１０に示し説明する。実施の形態１、４と機能が同じ構成要素部分には同一記号を付す。
【００４３】
図１０（ａ）は実施の形態５で使用する眼内レンズケースを上から見たときの透過図である。基台部２は円盤上の形状を有しており、基台部２上には眼内レンズ３０を載置、保持する保持部６０が取り付けられている。保持部６０には３本のピン１３の他に、折り曲げ時に使用される固定板６０ａが眼内レンズ３０の周縁部に当接するように設けられている。
【００４４】
カバー２０は略箱形状を有しており、基台部２の一部を収納するとともに基台部２が回転中心７０を中心にして回転可能に取り付けられている。また、カバー２０には回転中心７０を中心にして固定板６０ａと同一円周上に位置するように、凸部６１ａを有した押圧部材７１が一体に取り付けられている。
【００４５】
カバー２０に対して基台部２を矢印方向に回転移動することにより、保持部６０に保持された眼内レンス３０と固定板６０ａも矢印方向へ移動する。さらに基台部２を回転移動させ、カバー２０によって眼内レンズ３０が保護されない形になると、図１０（ｂ）のように眼内レンズ３０は凸部７１ａに当接し、固定板６０ａと凸部７１ａによって押圧されるようになる。固定板６０ａは保持部６０に固定されているため、その結果眼内レンズ３０は折り曲げられることとなる。また、凸部７１ａにて眼内レンズ３０を押圧する前にカバー２０の移動を止めれば、眼内レンズ３０が折りたたまれていない状態にて取り出すことが可能である。
【００４６】
【発明の効果】
以上のように、本発明によれば眼内レンズを保護するカバーを開ける動作と連動して眼内レンズを折りたたむことができるため、手間がかからず簡単に眼内レンズを取出すことができる。
【図面の簡単な説明】
【図１】本発明の実施の形態１に係る眼内レンズケースを示した斜視図である。
【図２】眼内レンズケースの詳細を示した図である。
【図３】眼内レンズケースに眼内レンズが収納された状態を示した概略断面図である。
【図４】眼内レンズが折り曲がる様子を示した図である。
【図５】本発明の実施の形態２に係る眼内レンズケースを示した図である。
【図６】眼内レンズを折り曲げた状態における眼内レンズケースを示した図である。
【図７】本発明の実施の形態３に係る眼内レンズケースを示した図である。
【図８】眼内レンズを折り曲げた状態における眼内レンズケースを示した図である。
【図９】本発明の実施の形態４に係る眼内レンズケースを示した図である。
【図１０】本発明の実施の形態５に係る眼内レンズケースを示した図である。
【符号の説明】
１  眼内レンズケース
２  基台部
３ａ  凸部
３ｂ  凸部
１０  保持部
１１ａ  挟持部
１１ｂ  挟持部
１２ａ  載置台
１２ｂ  載置台
１３  ピン
２０  カバー
２１ａ  凹部
２１ｂ  凹部
２２  開口部
３０  眼内レンズ
【図１】
0003921336.tif 000002
【図２】
0003921336.tif 000003
【図３】
0003921336.tif 000004
【図４】
0003921336.tif 000005
【図５】
0003921336.tif 000006
【図６】
0003921336.tif 000007
【図７】
0003921336.tif 000008
【図８】
0003921336.tif 000009
【図９】
0003921336.tif 000010
【図１０】
0003921336.tif 000011